(57)【要約】【課題】光源の位置、数を簡単に変更することができ、しかも、簡単な構成で上位ユニットとの通信に応じた光源のオンオフ制御ができる照明装置を提供する。【解決手段】レールコネクタ２が、レール本体と、レール本体の長手方向に沿って設けられ、電源の＋側が供給される電源用導体レール、電源の−側が供給されるグランド用導体レール及び通信信号が供給される通信用導体レールと、を有している。照明機能付き中継コネクタ３が、レール本体上を走行可能に取り付けられる。照明機能付き中継コネクタ３が、電源用、グランド用、通信用導体レールにそれぞれ接続される端子と、ＬＥＤ光源８と、通信用導体レールから入力された通信信号に基づいてＬＥＤ光源８の点灯を制御するＣＰＵと、を有する。【選択図】図２
2014075224.tif 000002
【特許請求の範囲】
【請求項１】
レール本体と、前記レール本体の長手方向に沿って設けられ、電源の＋側が供給される電源用導体レール、前記電源の−側が供給されるグランド用導体レール及び通信信号が供給される通信用導体レールと、を有するレールコネクタと、
前記レール本体上を走行可能に取り付けられる中継コネクタと、を備え、
前記中継コネクタが、前記電源用導体レール、前記グランド用導体レール及び前記通信用導体レールにそれぞれ接続される端子と、光源と、前記通信用導体レールから入力された通信信号に基づいて前記光源の点灯を制御する制御手段と、を有する
ことを特徴とする照明装置。
【請求項２】
レール本体と、前記レール本体の長手方向に沿って設けられ、電源の＋側が供給される電源用導体レール、前記電源の−側が供給されるグランド用導体レール、通信信号が供給される通信用導体レール及び制御用導体レールと、を有するレールコネクタと、
前記レール本体上を走行可能に取り付けられる中継コネクタと、
前記レール本体上を走行可能に取り付けられる照明ユニットと、を備え、
前記中継コネクタが、前記電源用導体レール、前記グランド用導体レール、前記通信用導体レール及び前記制御用導体レールにそれぞれ接続される端子と、前記電源用導体レール及び前記グランド用導体レールの何れか一方に接続される前記端子と前記制御用導体レールに接続される前記端子との接続をオンオフするスイッチと、前記通信用導体レールから入力された通信信号に基づいて前記スイッチのオンオフを制御する制御手段と、を有し、
前記照明ユニットが、一端が前記電源用導体レール及び前記グランド用導体レールの他方に接続され、他端が前記制御用導体レールに接続される光源を有する
ことを特徴とする照明装置。
【請求項３】
前記中継コネクタが、前記端子及び前記制御手段を収容する筐体をさらに備え、
前記端子が、前記筐体内に収容される収容位置と、前記筐体外へ突出して前記レールコネクタが有する導体レールに接続する突出位置と、の間で移動可能に設けられている
ことを特徴とする請求項１又は２に記載の照明装置。
【請求項４】
前記中継コネクタが、前記端子及び前記制御手段を収容する筐体と、前記筐体内に収容される収容位置と前記筐体外へ突出して前記レールコネクタに係止する突出位置との間で移動可能に設けられた係止部材と、を有する
ことを特徴とする請求項１又は２に記載の照明装置。
【発明の詳細な説明】
【技術分野】
【０００１】
本発明は、照明装置に関するものである。
【背景技術】
【０００２】
従来、車両内などの室内に設置される照明装置１００として、図１１に示すものが知られている。同図に示すように、照明装置１００は、電源を供給するためのワイヤハーネスＷＨ１に直接またはコネクタで接続され、発光して辺りを照明する光源としての照明負荷１０２を備え、この照明負荷１０２が天井１０３やピラーなどに固定されている。このため、ユーザが照明負荷１０２の配置を変更することはできない。また、照明負荷１０２を追加することもできない。
【０００３】
そこで、照明負荷１０２の配置を変更できる照明装置として、図１２に示すレール照明装置２００が提案されている。レール照明装置２００は、レール２０１と、レール２０１上を走行可能に取り付けられる照明負荷２０２と、を備え、レール２０１には、その長手方向に沿って設けられ、照明負荷２０２に電源を供給するための一対の導電性レール（図示せず）が設けられている。
【０００４】
しかしながら、上述した照明負荷２０２の点灯／消灯は、操作スイッチによる上述した一対の導電性レールへの電源のオンオフにより行われている。このため、例えば、車両に搭載されているＥＣＵなどの上位ユニットとの通信に応じた複雑な照明負荷２０２のオンオフ制御ができない、という問題がある。
【先行技術文献】
【特許文献】
【０００５】
【特許文献１】特開２０１０−７５０２９号公報
【発明の概要】
【発明が解決しようとする課題】
【０００６】
そこで、本発明は、光源の位置、数を簡単に変更することができ、しかも、簡単な構成で上位ユニットとの通信に応じた光源のオンオフ制御ができる照明装置を提供することを課題とする。
【課題を解決するための手段】
【０００７】
上述した課題を解決するための請求項１記載の発明は、レール本体と、前記レール本体の長手方向に沿って設けられ、電源の＋側が供給される電源用導体レール、前記電源の−側が供給されるグランド用導体レール及び通信信号が供給される通信用導体レールと、を有するレールコネクタと、前記レール本体上を走行可能に取り付けられる中継コネクタと、を備え、前記中継コネクタが、前記電源用導体レール、前記グランド用導体レール及び前記通信用導体レールにそれぞれ接続される端子と、光源と、前記通信用導体レールから入力された通信信号に基づいて前記光源の点灯を制御する制御手段と、を有することを特徴とする照明装置に存する。
【０００８】
請求項２記載の発明は、レール本体と、前記レール本体の長手方向に沿って設けられ、電源の＋側が供給される電源用導体レール、前記電源の−側が供給されるグランド用導体レール、通信信号が供給される通信用導体レール及び制御用導体レールと、を有するレールコネクタと、前記レール本体上を走行可能に取り付けられる中継コネクタと、前記レール本体上を走行可能に取り付けられる照明ユニットと、を備え、前記中継コネクタが、前記電源用導体レール、前記グランド用導体レール、前記通信用導体レール及び前記制御用導体レールにそれぞれ接続される端子と、前記電源用導体レール及び前記グランド用導体レールの何れか一方に接続される前記端子と前記制御用導体レールに接続される前記端子との接続をオンオフするスイッチと、前記通信用導体レールから入力された通信信号に基づいて前記スイッチのオンオフを制御する制御手段と、を有し、前記照明ユニットが、一端が前記電源用導体レール及び前記グランド用導体レールの他方に接続され、他端が前記制御用導体レールに接続される光源を有することを特徴とする照明装置に存する。
【０００９】
請求項３記載の発明は、前記中継コネクタが、前記端子及び前記制御手段を収容する筐体をさらに備え、前記端子が、前記筐体内に収容される収容位置と、前記筐体外へ突出して前記レールコネクタが有する端子に接続する突出位置と、の間で移動可能に設けられていることを特徴とする請求項１又は２に記載の照明装置に存する。
【００１０】
請求項４記載の発明は、前記中継コネクタが、前記端子及び前記制御手段を収容する筐体と、前記筐体内に収容される収容位置と前記筐体外へ突出して前記レールコネクタに係止する突出位置との間で移動可能に設けられた係止部材と、を有することを特徴とする請求項１又は２に記載の照明装置に存する。
【発明の効果】
【００１１】
以上説明したように請求項１記載の発明によれば、中継コネクタに光源を設け、中継コネクタをレールコネクタに沿って移動させたり、着脱することにより、光源の位置、数を変更することができる。しかも、中継コネクタに制御手段を設けて、通信端子から入力された通信信号に基づいて光源の点灯を制御することにより、簡単な構成で上位ユニットとの通信に応じた光源のオンオフ制御ができる。
【００１２】
請求項２記載の発明によれば、照明ユニットをレールコネクタに沿って移動させたり、着脱することにより、光源の位置、数を変更することができる。しかも、中継コネクタに制御手段を設けて、通信端子から入力された通信信号に基づいてスイッチのオンオフを制御して、光源の点灯を制御することにより、簡単な構成で上位ユニットとの通信に応じた光源のオンオフ制御ができる。また、レールコネクタに制御用導体レールを設けることにより、制御手段を有していない照明ユニットの点灯を制御することができる。
【００１３】
請求項３記載の発明によれば、端子を収容位置に収容した状態で中継コネクタをレールコネクタに取り付け、その後、端子を突出位置にしてレールコネクタの導体レールに接続することができ、簡単に取り付けることができ、しかも、確実に中継コネクタの端子をレールコネクタの導体レールに接続することができる。
【００１４】
請求項４記載の発明によれば、係止部材を収容位置に収容した状態で中継コネクタをレールコネクタに取り付け、その後、係止部材を突出位置にしてレールコネクタに係止させることができ、簡単に取り付けることができ、しかも、取り付けた後はレールコネクタから外れることがない。
【図面の簡単な説明】
【００１５】
【図１】第１実施形態における照明装置の斜視図である。
【図２】図１に示す照明装置の分解斜視図である。
【図３】図２のＡ−Ａ線断面図である。
【図４】図１に示す中継コネクタの斜視図である。
【図５】（Ａ）は端子及び係止部材が収容位置にあるときの図１のＢ−Ｂ線断面図であり、（Ｂ）は端子及び係止部材が突出位置にあるときの図１のＢ−Ｂ線断面図である。
【図６】図１に示す照明装置の電気構成図である。
【図７】第２実施形態における照明装置の斜視図である。
【図８】図７に示す照明装置の分解斜視図である。
【図９】（Ａ）は図７のＣ−Ｃ線断面図であり、（Ｂ）は図７のＤ−Ｄ線断面図である。
【図１０】図７に示す照明装置の電気構成図である。
【図１１】従来の照明装置の一例を示す斜視図である。
【図１２】従来のレール照明装置の一例を示す斜視図である。
【発明を実施するための形態】
【００１６】
第１実施形態
以下、本発明の第１実施形態における照明装置について図１〜図６を参照して説明する。同図に示すように、照明装置１は、車両の天井などに取り付けられるレールコネクタ２と、レールコネクタ２に取り付けられる照明機能付き中継コネクタ３と、を備えている。
【００１７】
レールコネクタ２は、図３などに示すように、長尺状のレール本体４と、レール本体４の長手方向に沿って設けられ、電源の＋側が供給される電源用導体レール５１、電源の−側が供給されるグランド用導体レール５２及び通信信号が供給される通信用導体レール５３と、を有している。
【００１８】
レール本体４は、合成樹脂などで形成されていて、長尺状の底壁４１と、底壁４１の全周縁から立設する立壁４２と、立壁４２の端部から内側に向かって突出する突部４３と、から構成され、これにより長手方向に沿ったレール溝４４が形成される。上記突部４３を設けることにより、レール溝４４の開口の溝幅Ｗ１１は突部４３よりも底壁４１側の溝幅Ｗ１２よりも狭くなる。また、レール本体４は、車両の天井などに底壁４１が上側に、レール溝４４の開口が下側を向くように取り付けられる。
【００１９】
上記電源用、グランド用、通信用導体レール５１〜５３は、長尺の帯状の導電部材から構成され、レール本体４の立壁４２内側に互いに平行に並べて保持されている。これら導体レール５１〜５３は、図６に示すように、ワイヤハーネスＷＨを介して制御ＥＣＵ１１に接続されている。制御ＥＣＵ１１は、コンピュータなどから構成され、図示しない操作部の操作情報やドアの開閉などの車両情報が入力され、その入力された車両情報を出力する。また、制御ＥＣＵ１１は、電源電圧ＶBの供給を受けて動作し、電源電圧ＶBの＋側が出力される電源端子と、電源電圧ＶBの−側が出力されるグランド端子と、上述した車両情報が通信信号として出力される通信端子と、（何れの端子も図示せず）を備えている。
【００２０】
ワイヤハーネスＷＨは、制御ＥＣＵ１１の電源端子に接続される電源線Ｌ１１と、グランド端子に接続されるグランド線Ｌ１２と、通信端子に接続される通信線Ｌ１３と、からなる。このワイヤハーネスＷＨの端部に上述したレールコネクタ２が取り付けられている。詳しくは、電源線Ｌ１１が電源用導体レール５１に接続され、グランド線Ｌ１２がグランド用導体レール５２に接続され、通信線Ｌ１３が通信用導体レール５３に接続されている。
【００２１】
上記照明機能付き中継コネクタ３は、図４などに示すように、レール溝４４内に収容されて、レール本体４上を走行可能に取り付けられる筐体６と、上記導体レール５１〜５３に摺接される端子としての電源端子７１、グランド端子７２及び通信端子７３と、複数のＬＥＤ光源８（＝光源）と、通信用導体レール５３から入力された通信信号に基づいてＬＥＤ光源８の点灯を制御する制御手段としてのＣＰＵ９（図６）と、レール本体４に係止するための係止部材１０と、を備えている。
【００２２】
上記筐体６は、レール溝４４内に収容される筐体本体部６１と、レール溝４４外に配置され、上記複数のＬＥＤ光源８が収容される光源収容部６２と、を備えている。筐体本体部６１は、箱型に設けられ、その幅Ｗ２１はレール溝４４の溝幅Ｗ１１よりも若干小さめに設けられている。筐体本体部６１は、図２に示す照明機能付き中継コネクタ３のうち左側のように１つ設けてもよいし、右側のように長手方向に離間して複数設けてもよい。光源収容部６２は、筐体本体部６１の底壁４１から離れた側に連なり、底壁４１と平行な略平板状に設けられ、その幅Ｗ２２はレール溝４４の溝幅Ｗ１２よりも大きく設けられている。これにより、筐体本体部６１をレール溝４４内に収容すると、光源収容部６２が突部４３に当接して、レール溝４４外に配置される。また、光源収容部６２は、ＬＥＤ光源８を露出するための開口孔が複数並べて設けられている。
【００２３】
上記端子７１〜７３は、筐体本体部６１の導体レール５１〜５３に対向する面に設けられている。これら端子７１〜７３は、図５（Ａ）に示すように、筐体本体部６１内に収容される収容位置と、図５（Ｂ）に示すように、筐体本体部６１外へ突出して電源用、グランド用、通信用導体レール５１〜５３に接続する突出位置と、の間で移動可能に設けられている。これら端子７１〜７３は、例えばバネなどにより突出位置になるように付勢されていて、これらを押すと収容位置に収容されるようにしてもよいし、図示しない操作部を操作すると機械的に連動して収容位置と突出位置との間で移動するようにしてもよい。
【００２４】
上記複数のＬＥＤ光源８は、図６に示すように、互いに並列に接続され、一端がグランドに他端がＣＰＵ９に接続されている。ＣＰＵ９は、端子７１〜７３が接続され、電源端子７１及びグランド端子７２間の電源電圧ＶBの供給を受けて動作し、通信用導体レール５３に接続された通信端子７３から供給される通信信号に基づいてＬＥＤ光源８の点灯を制御する。
【００２５】
上記係止部材１０は、図４及び図５に示すように、筐体本体部６１の溝幅方向に対向する一対の面にそれぞれ設けられ、端子７１〜７３よりも光源収容部６２側に配置されている。係止部材１０は、図５（Ａ）に示すように、筐体本体部６１内に収容される収容位置と、図５（Ｂ）に示すように、筐体本体部６１外へ突出してレールコネクタ２係止する突出位置との間で移動可能に設けられている。これら係止部材１０は、例えばバネなどにより突出位置になるように付勢されていて、これを押すと収容位置に収容されるようにしてもよいし、図示しない操作部を操作すると機械的に連動して収容位置と突出位置との間で移動するようにしてもよい。
【００２６】
次に、上述した照明機能付き中継コネクタ３のレールコネクタ２への取付について説明する。まず、ユーザは、照明機能付き中継コネクタ３の筐体本体部６１をレール溝４４内に挿入する。端子７１〜７３及び係止部材１０がバネにより突出位置に付勢されている場合、端子７１〜７３及び係止部材１０が収容位置になるように押しながらレール溝４４の開口（突部４３と突部４３との間）に通す。レール溝４４の開口を通過すると、バネの付勢力により端子７１〜７３及び係止部材１０が突出位置に復元する。そして、図５（Ｂ）に示すように、端子７１〜７３が導体レール５１〜５３に当接して、接続すると共に、係止部材１０が突部４３に係止して、照明機能付き中継コネクタ３がレールコネクタ２から外れることがない。
【００２７】
端子７１〜７３及び係止部材１０が図示しない操作部に連動して収容位置と突出位置との間で移動する場合、操作部を操作して端子７１〜７３及び係止部材１０を収容位置にした状態でレール溝４４内に挿入する。その後、操作部を操作して端子７１〜７３及び係止部材１０を突出位置にすると、図５（Ｂ）に示すように、端子７１〜７３が導体レール５１〜５３に当接して、接続すると共に係止部材１０が突部４３に係止して、照明機能付き中継コネクタ３がレールコネクタ２から外れることがない。
【００２８】
端子７１〜７３が導体レール５１〜５３に当接して接続されると、ＣＰＵ９が電源供給を受け、制御ＥＣＵ１１から送信される車両情報（通信信号）に基づいてＬＥＤ光源８の点灯制御を開始する。その後、ユーザは、レール本体４に沿って照明機能付き中継コネクタ３をスライドさせ、希望の位置に配置させる。このとき、端子７１〜７３は導体レール５１〜５３に摺接されているため、ＣＰＵ９に対する電源、車両情報の供給が途切れることない。即ち、端子７１〜７３と導体レール５１〜５３とが摺接する範囲内であれば、ＣＰＵ９は、どの場所でもＬＥＤ光源８の点灯を制御できる。
【００２９】
上述した第１実施形態によれば、照明機能付き中継コネクタ３にＬＥＤ光源８を設け、照明機能付き中継コネクタ３をレールコネクタ２に沿って移動させたり、着脱することにより、ＬＥＤ光源８の位置、数を変更することができる。しかも、照明機能付き中継コネクタ３にＣＰＵ９を設けて、通信端子７３から入力された通信信号に基づいてＬＥＤ光源８の点灯を制御することにより、簡単な構成で上位ユニットである制御ＥＣＵ１１との通信に応じたＬＥＤ光源８のオンオフ制御ができる。
【００３０】
また、上述した第１実施形態によれば、端子７１〜７３を収容位置に収容した状態で照明機能付き中継コネクタ３をレールコネクタ２に取り付け、その後、端子７１〜７３を突出位置にしてレールコネクタ２の導体レール５１〜５３に接続することができ、簡単に取り付けることができ、しかも、確実に照明機能付き中継コネクタ３の端子７１〜７３をレールコネクタ２に導体レール５１〜５３に接続することができる。
【００３１】
また、上述した第１実施形態によれば、係止部材１０を収容位置に収容した状態で照明機能付き中継コネクタ３をレールコネクタ２に取り付け、その後、係止部材１０を突出位置にしてレールコネクタ２に係止させることができ、簡単に取り付けることができ、しかも、取り付けた後はレールコネクタ２から外れることがない。
【００３２】
なお、上述した第１実施形態によれば、レール溝４４の溝幅方向に相対する一対の立壁４２の一方のみに導体レール５１〜５３を配置していたが、本発明はこれに限ったものではない。溝幅方向に相対する一対の立壁４２の一方に導体レール５１〜５３の一つを配置し、他方の残りの二つを配置するようにしてもよい。
【００３３】
また、上述した第１実施形態によれば、照明機能付き中継コネクタ３には、複数のＬＥＤ光源８を設けていたが、本発明はこれに限ったものではない。照明機能付き中継コネクタ３には、少なくとも１つのＬＥＤ光源８が設けられていれば良い。
【００３４】
また、上述した第１実施形態によれば、複数のＬＥＤ光源８は互いに並列接続されていて、同時に点灯／消灯制御されていたが、本発明はこれに限ったものではない。ＣＰＵ９により、別々にＬＥＤ光源８の点灯／消灯を制御できるようにしてもよい。
【００３５】
第２実施形態
次に、本発明の第２実施形態における照明装置１について図７〜図１０を参照して説明する。同図において、図１〜図６について上述した第１実施形態と同等の部分については同一符号を付してその詳細な説明を省略する。図７などに示すように、照明装置１は、車両の天井などに取り付けられるレールコネクタ２と、レールコネクタ２に取り付けられる中継コネクタ１２と、レールコネクタ２に取り付けられる照明ユニット１３と、操作スイッチＳＷ１（図１０）を備えている。
【００３６】
レールコネクタ２は、図９などに示すように、長尺状のレール本体４と、電源用導体レール５１、グランド用導体レール５２、通信用導体レール５３及び制御用導体レール５４と、を備えている。レール本体４は上述した第１実施形態と同様である。
【００３７】
上記電源用、グランド用導体レール５１、５２は、長尺状の導電部材から構成され、溝幅方向に対向する一対の立壁４２の一方に互いに平行に並べて保持され、通信用、制御用導体レール５３、５４は、長尺の帯状の導電部材から構成され、溝幅方向に対向する一対の立壁４２の他方に互いに平行に並べて保持されている。これら導体レール５１〜５３は、図１０に示すように、第１実施形態と同様にワイヤハーネスＷＨを介して制御ＥＣＵ１１に接続されている。ワイヤハーネスＷＨ及び制御ＥＣＵ１１は上述した第１実施形態と同様である。
【００３８】
中継コネクタ１２は、図９（Ａ）などに示すように、レール溝４４内に収容されて、レール本体４上を走行可能に取り付けられる筐体１４と、上記導体レール５１〜５４に摺接される電源端子７１１、グランド端子７２１、通信端子７３１及び制御端子７４１と、図１０に示すように、電源端子７１１及び制御端子７４１の接続をオンオフするスイッチとしての内蔵スイッチＳＷ２と、通信端子７３１から入力された通信信号に基づいて内蔵スイッチＳＷ２のオンオフを制御する制御手段としてのＣＰＵ１５と、図９（Ａ）に示すように、レール本体４に係止するための係止部材１０１と、を備えている。
【００３９】
上記筐体１４は、箱型に設けられ、上記内蔵スイッチＳＷ２やＣＰＵ１５などを内蔵している。電源端子７１１及びグランド端子７２１は、筐体１４の導体レール５１及び５２に対向する面に設けられ、通信端子７３１及び制御端子７４１は、筐体１４の導体レール５３及び５４に対向する面に設けられている。これら端子７１１〜７４１は、筐体１４内に収容される収容位置と、筐体１４外へ突出してレール５１〜５４に接続する突出位置と、の間で移動可能に設けられている。端子７１１〜７４１は、第１実施形態の端子７１〜７３と、係止部材１０１は第１実施形態の係止部材１０と同様の構成である。
【００４０】
照明ユニット１３は、図１０に示すように、ＬＥＤ光源８と、ＬＥＤ光源８を収容する筐体１６（図９（Ｂ））と、ＬＥＤ光源８の一端を導体レール５１に接続するための電源端子７１２と、ＬＥＤ光源８の他端を導体レール５４に接続するための制御端子７４２と、レール本体４に係止するための係止部材１０５と、を備えている。筐体１６は、レール溝４４内に収容される筐体本体部１６１と、ＬＥＤ光源８が収容される光源収容部１６２と、を備えている。筐体本体部１６１及び光源収容部１６２については、上述した第１実施形態の筐体本体部６１及び光源収容部６２と同等である。
【００４１】
電源端子７１２は、筐体本体部１６１の導体レール５１に対向する面に設けられ、制御端子７４２は、筐体本体部１６１の導体レール５４に対向する面に設けられている。これら端子７１２、７４２も、筐体本体部１６１内に収容される収容位置と、筐体本体部１６１外へ突出して、導体レール５１、５４に接続する突出位置と、の間で移動可能に設けられている。端子７１２、７４２は、第１実施形態の端子７１〜７３と、係止部材１０５は第１実施形態の係止部材１０と同様の構成である。
【００４２】
操作スイッチＳＷ１は、操作に応じて電源用導体レール５１と制御用導体レール５４との接続をオンオフするスイッチである。
【００４３】
上述した実施形態によれば、ＣＰＵ１５が内蔵スイッチＳＷ２をオンしたり、ユーザの操作により操作スイッチＳＷ１がオンされると、ＬＥＤ光源８に電源が供給され、ＬＥＤ光源８が点灯する。一方、ＣＰＵ１５が内蔵スイッチＳＷ２をオフしたり、ユーザの操作により操作スイッチＳＷ１がオフされると、ＬＥＤ光源８に供給された電源が遮断され、ＬＥＤ光源８が消灯する。ＣＰＵ１５は、通信信号に応じて内蔵スイッチＳＷ２をオンオフすることにより、ＬＥＤ光源８の点灯を制御する。また、操作スイッチＳＷ１を設けることにより、通常は操作スイッチＳＷ１の操作で、ＬＥＤ光源８を点灯／消灯させ、制御ＥＣＵ１１からの通信信号と連動したい場合にはＣＰＵ１５が内蔵スイッチＳＷ２をオンオフさせて、ＬＥＤ光源８の点灯制御を行うことが可能となる。
【００４４】
上述した実施形態によれば、照明ユニット１３をレールコネクタ２に沿って移動させたり、着脱することにより、ＬＥＤ光源８の位置、数を変更することができる。しかも、中継コネクタ１２にＣＰＵ１５を設けて、通信端子７３１から入力された通信信号に基づいて内蔵スイッチＳＷ２のオンオフを制御して、ＬＥＤ光源８の点灯を制御することにより、簡単な構成で上位ユニットである制御ＥＣＵ１１との通信に応じたＬＥＤ光源８のオンオフ制御ができる。また、レールコネクタ２に制御用導体レール５４を設けることにより、ＣＰＵを有していない照明ユニット１３の点灯を制御することができる。
【００４５】
なお、上述した第２実施形態によれば、４つの導体レール５１〜５４を持つレールコネクタ２に中継コネクタ１２と照明ユニット１３を取り付けていたが本発明はこれに限ったものではない。導体レール５１〜５４に摺接できる第１実施形態に示す照明機能付き中継コネクタ３を取り付けても良い。
【００４６】
また、上述した第２実施形態によれば、照明ユニット１３にはＬＥＤ光源８を１つしか設けていなかったが、互いに直列させた複数を設けても良い。
【００４７】
また、上述した第２実施形態によれば、操作スイッチＳＷ１を設けていたが、操作スイッチＳＷ１は設けなくてもよい。
【００４８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４９】
１  照明装置
２  レールコネクタ
３  照明機能付き中継コネクタ（中継コネクタ）
４  レール本体
６  筐体
８  ＬＥＤ光源
９、１５  ＣＰＵ（制御手段）
１０  係止部材
１２  中継コネクタ
１３  照明ユニット
１４  筐体
５１  電源用導体レール
５２  グランド用導体レール
５３  通信用導体レール
５４  制御用導体レール
７１  電源端子（端子）
７２  グランド端子（端子）
７３  通信端子（端子）
１０１  係止部材
７１１  電源端子（端子）
７２１  グランド端子（端子）
７３１  通信端子（端子）
７４１  制御端子（端子）
ＳＷ２  内蔵スイッチ（スイッチ）
【図１】
2014075224.tif 000003
【図２】
2014075224.tif 000004
【図３】
2014075224.tif 000005
【図４】
2014075224.tif 000006
【図５】
2014075224.tif 000007
【図６】
2014075224.tif 000008
【図７】
2014075224.tif 000009
【図８】
2014075224.tif 000010
【図９】
2014075224.tif 000011
【図１０】
2014075224.tif 000012
【図１１】
2014075224.tif 000013
【図１２】
2014075224.tif 000014